(57)【要約】【課題】ライブビューを行っている際に自動焦点調節を行うときに、大きな負荷で駆動することがなく、タイムラグやエネルギロスを少なくなるようにしたライブビュー可能なカメラを提供する。【解決手段】 液晶モニタ２６にＣＣＤ２２１の出力に基づいて被写体像をライブビュー表示するときは、可動反射ミラー２０１を退避位置に駆動し（領域ｃ）、この状態で自動焦点調節行うときには、シャッタ２１３のチャージは行わずに可動反射ミラー２０３を観察位置（ダウン位置）に駆動して行う（領域ｄ及び領域ｅ）。【選択図】  図５
2007298742.tif 000002
【特許請求の範囲】
【請求項１】
ライブビュー可能なカメラにおいて、
撮影レンズからの光束を反射して観察光学系に導く観察位置と、上記撮影レンズからの光束通過域から退避する退避位置へと移動する退避位置とに、モータの回転により移動可能な可動反射ミラーと、
上記可動反射ミラーの後方に配置され、上記可動反射ミラーが上記退避位置にあるとき上記撮影レンズからの被写体光束を受けて撮像する撮像素子と、
上記撮像素子による被写体の画像を動画として表示するための画像表示手段と、
被写体に上記撮影レンズを合焦させるための合焦用センサと、
上記可動反射ミラーに連動して、上記可動反射ミラーが上記観察位置にあるとき上記撮影レンズからの光束を上記合焦用センサへ導く合焦用反射ミラーと、
上記合焦センサの出力に基づいて、上記撮影レンズを合焦位置に駆動する自動焦点調節手段と、
上記可動反射ミラーの後方に配置され、上記撮影レンズからの被写体光束を受けて撮像する撮像素子と、
上記可動反射ミラーと上記撮像素子の間に配置されたシャッタと、
上記画像表示手段に上記撮像素子による動画の表示を行いながら、上記撮影レンズの合焦を行うときは、上記自動焦点調節手段を作動させると共に、上記可動反射ミラーを上記退避位置に駆動し、上記シャッタのチャージは行わずに上記可動反射ミラーを上記観察位置に駆動する駆動手段と、
を有することを特徴とするライブビュー可能なカメラ。
【請求項２】
さらに、上記撮影レンズを被写体に対し合焦開始させるための合焦開始手段を有し、上記駆動手段は、この合焦開始手段による上記合焦開始の指示に応じて、上記シャッタのチャージは行わずに上記可動反射ミラーを上記観察位置に駆動するようにしたことを特徴とする請求項１に記載のライブビュー可能なカメラ。
【請求項３】
上記駆動手段は、所定時間間隔ごとに、上記シャッタのチャージは行わずに上記可動反射ミラーを上記観察位置に駆動するようにしたことを特徴とする請求項１に記載のライブビュー可能なカメラ。
【請求項４】
上記ミラー駆動カムとシャッタチャージカムは一体に回転するカム部材からなることを特徴とする請求項１に記載のライブビュー可能なカメラ。
【請求項５】
ライブビュー可能なカメラにおいて、
正逆回転可能なモータと、
撮影レンズの結像を観察する観察光学系と、
上記撮影レンズからの光束を反射して観察光学系に導く観察位置と、撮影レンズからの光束通過域から退避する退避位置とに、上記モータの回転により移動可能な可動反射ミラーと、
被写体に上記撮影レンズを合焦させるための合焦用センサと、
上記可動反射ミラーに連動して、上記可動反射ミラーが上記観察位置にあるとき撮影レンズからの光束を上記合焦用センサへ導く合焦用反射ミラーと、
上記可動反射ミラーの後方に配置され、上記可動反射ミラーが上記退避位置にあるとき上記撮影レンズからの被写体光束を受けて撮像する撮像素子と、
上記撮像素子による被写体の画像を動画として表示するための画像表示手段と、
上記撮影レンズを被写体に対し合焦開始させるための合焦開始手段と、
上記可動反射ミラーと上記撮像素子との間に配置され、上記モータの回転によりチャージされるシャッタと、
上記可動反射ミラーを上記観察位置に位置させる第１のカム部と、この第１のカム部に連続して上記可動反射ミラーを上記退避位置に位置させる第２のカム部と、さらにこの第２のカム部に連続して上記可動反射ミラーを観察位置に駆動する第３のカム部を有したミラー駆動カムと、
上記第１のカム部に同期してシャッタをチャージするシャッタチャージカム部と、上記第２のカム部及び上記第３のカム部に同期してシャッタをチャージしない非チャージカム部とを有したシャッタチャージカムと、
上記撮像素子による静止画の撮像を行うときは、上記モータを正逆回転させて上記ミラー駆動カムの第１のカム部と第２のカム部の間を往復動させ上記可動反射ミラーを上記観察位置と上記退避位置との間の移動を行い、これに同期してシャッタチャージカムのシャッタチャージカム部と非チャージカム部との間を往復動させ上記シャッタのチャージを行い、上記画像表示手段に上記撮像素子による動画の表示を行いながら上記撮影レンズの合焦を行うときは、上記合焦開始手段の出力に応答して上記モータを正逆回転させて上記ミラー駆動カムの第２のカム部と第３のカム部の往復動をさせ上記可動反射ミラーを上記観察位置と上記退避位置との間の移動を行い、これに同期してシャッタチャージカムの非チャージカム部の往復動を行い、上記シャッタのチャージは行わない制御を行う制御手段と、
を有することを特徴とするライブビュー可能なカメラ。
【請求項６】
上記ミラー駆動カムとシャッタチャージカムは一体に回転するカム部材からなることを特徴とする請求項１に記載のライブビュー可能なカメラ。
【請求項７】
撮影レンズの撮影光路上の第１の位置と、この撮影光路上から退避した第２の位置とに移動可能な可動反射ミラーと、
上記撮影レンズの上記撮影光路上に配置され、上記撮影レンズによって結像される被写体像を受光し、光電変換信号を出力する撮像素子と、
この撮像素子と上記可動反射ミラーとの間に配置され、上記撮像素子上による上記被写体像の露光時間を制御するためのシャッタと、
上記光電変換信号に基づいて上記被写体像をライブビュー表示するための表示装置と、
上記ライブビュー表示を行うにあたって、上記可動反射ミラーを上記第２の位置に駆動すると共に上記シャッタを開放状態に駆動し、上記ライブビュー表示において測距動作を行う場合には、上記シャッタのチャージ動作は行わず、上記可動反射ミラーを上記第２の位置から上記第１の位置に移動させる駆動制御手段と、
を具備したことを特徴とするライブビュー可能なカメラ。
【請求項８】
上記可動反射ミラーは、上記第１の位置と上記第２の位置とに上記可動反射ミラーを駆動する反射ミラー駆動機構を有し、上記シャッタは、シャッタチャージを行うためのシャッタチャージ機構を有しており、上記駆動制御手段は、上記測距動作を行なう場合には、上記シャッタチャージ機構を駆動せず、上記反射ミラー駆動機構のみを駆動することを特徴とする請求項７に記載のライブビュー可能なカメラ。
【請求項９】
上記駆動制御手段は、上記測距動作の終了後には、反射ミラー駆動機構のみを駆動して上記可動反射ミラーを上記第２の位置に戻し、上記ライブビュー表示を再開することを特徴とする請求項８に記載のライブビュー可能なカメラ。
【請求項１０】
上記駆動制御手段は、上記測距動作の終了後に、反射ミラー駆動機構を駆動して上記反射ミラーを上記第２の位置に戻すと共に、撮影レンズを合焦位置に向けて駆動することを特徴とする請求項８に記載のライブビュー可能なカメラ。
【請求項１１】
撮像素子によって繰り返し取得した画像を表示装置に動画像としてライブビュー表示可能なカメラにおいて、
撮影光路上に配置された可動反射ミラーを駆動する反射ミラー駆動機構と、
上記撮像素子への露光時間を制御するためのシャッタのチャージを行うシャッタチャージ機構と、
単一の駆動源と、
上記反射ミラー駆動機構および上記シャッタチャージ機構に対して、上記駆動源による駆動力の伝達を、上記両機構または上記反射ミラー駆動機構のみに切り換える駆動力伝達切換機構と、
ライブビュー表示への切換時には、上記反射ミラー駆動機構および上記シャッタチャージ機構の両方に駆動力伝達切換機構によって駆動力を伝達し、ライブビュー表示の際の自動焦点調節時には、上記反射ミラー駆動機構にのみ駆動力伝達切換機構によって駆動力を伝達する駆動制御手段と、
を具備したことを特徴とするライブビュー可能なカメラ。
【請求項１２】
ライブビュー可能なカメラにおいて、
正逆回転可能なモータと、
撮影レンズからの光束中に進入して該光束を反射する反射位置と撮影レンズからの光束通過域から退避する退避位置とに駆動される可動反射ミラーと、
この可動反射ミラーの公報に配置されたシャッタと、
上記モータの正逆回転により上記シャッタのチャージと上記可動反射ミラーの駆動の２つを行う第１の駆動部分と、上記モータの正逆回転により上記可動反射ミラーの駆動のみを行う第２の駆動部分とを有するカム部材と、
上記カム部材の上記第１の駆動部分と上記第２の駆動部分の一方を、上記モータを回転させて選択し上記カム部材を駆動制御する制御手段と、
を具備することを特徴とするライブビュー可能なカメラ。
【請求項１３】
ライブビュー可能なカメラにおいて、
正逆回転可能なモータと、
撮影レンズからの光束中に進入して該光束を反射する反射位置と撮影レンズからの光束通過域から退避する退避位置とに駆動される可動反射ミラーと、
この可動反射ミラーの後方に配置され、上記可動反射ミラーが上記退避位置にあるとき上記撮影レンズからの被写体光束を受けて撮像する撮像素子と、
上記撮像素子による被写体の画像を動画として表示するための画像表示手段と、
上記モータの回転によりチャージされ、上記可動反射ミラーと上記撮像素子との間に配置され、上記モータの回転によりチャージされるシャッタと、
上記可動反射ミラーを上記反射位置に位置させる第１のカム部とこの第１のカム部に連続して上記可動反射ミラーを上記退避位置に位置させる第２のカム部とさらにこの第２のカム部に連続して上記可動反射ミラーを反射位置に駆動する第３のカム部を有したミラー駆動カムと、
上記第１のカム部に同期してシャッタをチャージするシャッタチャージカム部と上記第２のカム部及び上記第３のカム部に同期してシャッタをチャージしない非チャージカム部とを有したシャッタチャージカムと、
上記撮像素子による静止画の撮像を行うときは、上記モータを正逆回転させて上記ミラー駆動カムの第１のカム部と第２のカム部の間を往復動させ、上記可動反射ミラーを上記反射位置と上記退避位置との間を行いこれに同期して上記シャッタチャージカムのシャッタチャージカム部と非チャージカム部との間を往復動させ、上記シャッタのチャージを繰り返し、上記画像表示手段に上記撮像素子による動画の表示を行うときは、上記モータを正逆回転させて、上記ミラー駆動カムの第２のカム部と第３のカム部の間を往復動させ、上記可動反射ミラーを上記反射位置と上記退避位置との間の移動を行い、これに同期してシャッタチャージカムの非チャージカム部の往復動を行い、上記シャッタのチャージは行い制御を行う制御手段と、
を有することを特徴とするライブビュー可能なカメラ。
【請求項１４】
上記請求項１２又は１３に記載のライブビュー可能なカメラにおいて、
上記ミラー駆動カムと上記シャッタチャージカムとは一体的に回転するカム部材からなることを特徴とする。
【発明の詳細な説明】
【技術分野】
【０００１】
本発明は、ライブビュー表示機能を有するカメラに関し、詳しくは、撮像素子で繰り返し取得した画像を表示装置に動画像として表示する所謂ライブビュー表示機能（スルー画表示機能、電子ファインダ機能とも言う）を有するカメラに関する。
【背景技術】
【０００２】
従来のカメラにおいては、被写体像の観察は、光学式ファインダにより行っていたが、最近のコンパクトデジタルカメラは、光学式ファインダと共に、またはファインダ光学系を廃止し、撮像素子で取得した画像を連続的に液晶モニタ等の表示装置に表示するいわゆるライブビュー表示機能を有したものが多くなってきている。
【０００３】
このようなライブビュー表示機能は、例えば、パララックスが生じないためマクロ撮影時等に有効であり、このためデジタル一眼レフカメラに搭載した例も種々提案されている。例えば、光学ファインダ表示モードと電子ファインダ表示モードを選択可能とし、電子ファインダ表示モードが選択されたときには、可動ミラーを撮影光路から退避させるとともにフォーカルプレーンシャッタを全開状態にして被写体像を撮像素子に導き、それによって得られた被写体像を連続的に液晶モニタに表示するようにしたライブビュー可能なデジタル一眼レフカメラが提案されている（特許文献１）。
【特許文献１】特開２００２−３６９０４２号公報
【発明の開示】
【発明が解決しようとする課題】
【０００４】
ところで、この種のライブビュー表示機能においては、可動ミラーを撮影光路外に退避させなければならないので、従来の一眼レフカメラで一般的に採用されているＴＴＬ位相差法による自動焦点調節を行うには、ライブビューを解除して可動反射ミラーを撮影光路中に移動しなければならなかった。しかしながら、シャッタチャージ動作と可動反射ミラーの退避動作を一緒に行っていることから、ＴＴＬ位相差ＡＦを行うには、シャッタチャージと可動反射ミラーの駆動を一緒にする必要であった。このため、両機構を駆動することになり、大きな負荷である共にタイムラグやエネルギロスが大きいという問題があった。
【０００５】
本発明は、このような事情を鑑みてなされたものであり、ライブビューを行っている際に自動焦点調節を行うときに、大きな負荷で駆動することがなく、タイムラグやエネルギロスを少なくなるようにしたライブビュー可能なカメラを提供することを目的とする。
【課題を解決するための手段】
【０００６】
上記目的を達成するため第１の発明に係わるライブビュー可能なカメラは、撮影レンズからの光束を反射して観察光学系に導く観察位置と、上記撮影レンズからの光束通過域から退避する退避位置へと移動する退避位置とに、モータの回転により移動可能な可動反射ミラーと、上記可動反射ミラーの後方に配置され、上記可動反射ミラーが上記退避位置にあるとき上記撮影レンズからの被写体光束を受けて撮像する撮像素子と、上記撮像素子による被写体の画像を動画として表示するための画像表示手段と、被写体に上記撮影レンズを合焦させるための合焦用センサと、上記可動反射ミラーに連動して、上記可動反射ミラーが上記観察位置にあるとき上記撮影レンズからの光束を上記合焦用センサへ導く合焦用反射ミラーと、上記合焦センサの出力に基づいて、上記撮影レンズを合焦位置に駆動する自動焦点調節手段と、上記可動反射ミラーの後方に配置され、上記撮影レンズからの被写体光束を受けて撮像する撮像素子と、上記可動反射ミラーと上記撮像素子の間に配置されたシャッタと、上記画像表示手段に上記撮像素子による動画の表示を行いながら、上記撮影レンズの合焦を行うときは、上記自動焦点調節手段を作動させると共に、上記可動反射ミラーを上記退避位置に駆動し、上記シャッタのチャージは行わずに上記可動反射ミラーを上記観察位置に駆動する駆動手段を具備する。
【０００７】
また、第２の発明に係わるライブビュー可能なカメラは、上記第１の発明において、上記撮影レンズを被写体に対し合焦開始させるための合焦開始手段を有し、上記駆動制御手段は、この合焦開始手段による上記合焦開始の指示に応じて、上記シャッタのチャージは行わずに上記可動反射ミラーを上記観察位置に駆動する。
さらに、第３の発明に係わるライブビュー可能なカメラは、上記第１の発明において、上記駆動制御手段は、所定時間間隔ごとに、上記シャッタのチャージは行わずに上記可動反射ミラーを上記観察位置に駆動する。
さらに、第４の発明に係わるライブビュー可能なカメラは、上記第１の発明において。上記ミラー駆動カムとシャッタチャージカムは一体に回転するカム部材からなる。
【０００８】
また、上記目的を達成するため第５の発明に係わるライブビュー可能なカメラは、正逆回転可能なモータと、撮影レンズの結像を観察する観察光学系と、上記撮影レンズからの光束を反射して観察光学系に導く観察位置と、撮影レンズからの光束通過域から退避する退避位置とに、上記モータの回転により移動可能な可動反射ミラーと、被写体に上記撮影レンズを合焦させるための合焦用センサと、上記可動反射ミラーに連動して、上記可動反射ミラーが上記観察位置にあるとき撮影レンズからの光束を上記合焦用センサへ導く合焦用反射ミラーと、上記可動反射ミラーの後方に配置され、上記可動反射ミラーが上記退避位置にあるとき上記撮影レンズからの被写体光束を受けて撮像する撮像素子と、上記撮像素子による被写体の画像を動画として表示するための画像表示手段と、上記撮影レンズを被写体に対し合焦開始させるための合焦開始手段と、上記可動反射ミラーと上記撮像素子との間に配置され、上記モータの回転によりチャージされるシャッタと、上記可動反射ミラーを上記観察位置に位置させる第１のカム部と、この第１のカム部に連続して上記可動反射ミラーを上記退避位置に位置させる第２のカム部と、さらにこの第２のカム部に連続して上記可動反射ミラーを観察位置に駆動する第３のカム部を有したミラー駆動カムと、  上記第１のカム部に同期してシャッタをチャージするシャッタチャージカム部と、上記第２のカム部及び上記第３のカム部に同期してシャッタをチャージしない非チャージカム部とを有したシャッタチャージカムと、上記撮像素子による静止画の撮像を行うときは、上記モータを正逆回転させて上記ミラー駆動カムの第１のカム部と第２のカム部の間を往復動させ上記可動反射ミラーを上記観察位置と上記退避位置との間の移動を行い、これに同期してシャッタチャージカムのシャッタチャージカム部と非チャージカム部との間を往復動させ上記シャッタのチャージを行い、上記画像表示手段に上記撮像素子による動画の表示を行いながら上記撮影レンズの合焦を行うときは、上記合焦開始手段の出力に応答して上記モータを正逆回転させて上記ミラー駆動カムの第２のカム部と第３のカム部の往復動をさせ上記可動反射ミラーを上記観察位置と上記退避位置との間の移動を行い、これに同期してシャッタチャージカムの非チャージカム部の往復動を行い、上記シャッタのチャージは行わない制御を行う制御手段を具備する。
さらに、第６の発明に係わるライブビュー可能なカメラは、上記第５の発明において、上記ミラー駆動カムとシャッタチャージカムは一体に回転するカム部材からなる。
【０００９】
上記目的を達成するため第７の発明に係わるライブビュー可能なカメラは、撮影レンズの撮影光路上の第１の位置と、この撮影光路上から退避した第２の位置とに移動可能な可動反射ミラーと、上記撮影レンズの上記撮影光路上に配置され、上記撮影レンズによって結像される被写体像を受光し、光電変換信号を出力する撮像素子と、この撮像素子と上記可動反射ミラーとの間に配置され、上記撮像素子上による上記被写体像の露光時間を制御するためのシャッタと、上記光電変換信号に基づいて上記被写体像をライブビュー表示するための表示装置と、上記ライブビュー表示を行うにあたって、上記可動反射ミラーを上記第２の位置に駆動すると共に上記シャッタを開放状態に駆動し、上記ライブビュー表示において測距動作を行う場合には、上記シャッタのチャージ動作は行わず、上記可動反射ミラーを上記第２の位置から上記第１の位置に移動させる駆動制御手段を具備する。
第８の発明に係わるライブビュー可能なカメラは、上記第７の発明において、上記可動反射ミラーは、上記第１の位置と上記第２の位置とに上記可動反射ミラーを駆動する反射ミラー駆動機構を有し、上記シャッタは、シャッタチャージを行うためのシャッタチャージ機構を有しており、上記駆動制御手段は、上記測距動作を行なう場合には、上記シャッタチャージ機構を駆動せず、上記反射ミラー駆動機構のみを駆動する。
また、第９の発明に係わるライブビュー可能なカメラは、上記第８の発明において、上記駆動制御手段は、上記測距動作の終了後には、反射ミラー駆動機構のみを駆動して上記可動反射ミラーを上記第２の位置に戻し、上記ライブビュー表示を再開する。
また、第１０の発明に係わるライブビュー可能なカメラは、上記第８の発明において、上記駆動制御手段は、上記測距動作の終了後に、反射ミラー駆動機構を駆動して上記反射ミラーを上記第２の位置に戻すと共に、撮影レンズを合焦位置に向けて駆動する。
上記目的を達成するため第１１の発明に係わるライブビュー可能なカメラは、撮像素子によって繰り返し取得した画像を表示装置に動画像としてライブビュー表示可能なカメラにおいて、撮影光路上に配置された可動反射ミラーを駆動する反射ミラー駆動機構と、上記撮像素子への露光時間を制御するためのシャッタのチャージを行うシャッタチャージ機構と、単一の駆動源と、上記反射ミラー駆動機構および上記シャッタチャージ機構に対して、上記駆動源による駆動力の伝達を、上記両機構または上記反射ミラー駆動機構のみに切り換える駆動力伝達切換機構と、ライブビュー表示への切換時には、上記反射ミラー駆動機構および上記シャッタチャージ機構の両方に駆動力伝達切換機構によって駆動力を伝達し、ライブビュー表示の際の自動焦点調節時には、上記反射ミラー駆動機構にのみ駆動力伝達切換機構によって駆動力を伝達する駆動制御手段を具備する。
【００１０】
上記目的を達成するため第１２の発明に係わるライブビュー可能なカメラは、正逆回転可能なモータと、撮影レンズからの光束中に進入して該光束を反射する反射位置と撮影レンズからの光束通過域から退避する退避位置とに駆動される可動反射ミラーと、この可動反射ミラーの公報に配置されたシャッタと、上記モータの正逆回転により上記シャッタのチャージと上記可動反射ミラーの駆動の２つを行う第１の駆動部分と、上記モータの正逆回転により上記可動反射ミラーの駆動のみを行う第２の駆動部分とを有するカム部材と、  上記カム部材の上記第１の駆動部分と上記第２の駆動部分の一方を、上記モータを回転させて選択し上記カム部材を駆動制御する制御手段を具備する。
【００１１】
上記目的を達成するため第１３の発明に係わるライブビュー可能なカメラは、正逆回転可能なモータと、撮影レンズからの光束中に進入して該光束を反射する反射位置と撮影レンズからの光束通過域から退避する退避位置とに駆動される可動反射ミラーと、この可動反射ミラーの後方に配置され、上記可動反射ミラーが上記退避位置にあるとき上記撮影レンズからの被写体光束を受けて撮像する撮像素子と、上記撮像素子による被写体の画像を動画として表示するための画像表示手段と、上記モータの回転によりチャージされ、上記可動反射ミラーと上記撮像素子との間に配置され、上記モータの回転によりチャージされるシャッタと、上記可動反射ミラーを上記反射位置に位置させる第１のカム部とこの第１のカム部に連続して上記可動反射ミラーを上記退避位置に位置させる第２のカム部とさらにこの第２のカム部に連続して上記可動反射ミラーを反射位置に駆動する第３のカム部を有したミラー駆動カムと、上記第１のカム部に同期してシャッタをチャージするシャッタチャージカム部と上記第２のカム部及び上記第３のカム部に同期してシャッタをチャージしない非チャージカム部とを有したシャッタチャージカムと、上記撮像素子による静止画の撮像を行うときは、上記モータを正逆回転させて上記ミラー駆動カムの第１のカム部と第２のカム部の間を往復動させ、上記可動反射ミラーを上記反射位置と上記退避位置との間を行いこれに同期して上記シャッタチャージカムのシャッタチャージカム部と非チャージカム部との間を往復動させ、上記シャッタのチャージを繰り返し、上記画像表示手段に上記撮像素子による動画の表示を行うときは、上記モータを正逆回転させて、上記ミラー駆動カムの第２のカム部と第３のカム部の間を往復動させ、上記可動反射ミラーを上記反射位置と上記退避位置との間の移動を行い、これに同期してシャッタチャージカムの非チャージカム部の往復動を行い、上記シャッタのチャージは行い制御を行う制御手段を具備する。
また、第１４の発明に係わるライブビュー可能なカメラは、上記第１２または第１３の発明において、上記ミラー駆動カムと上記シャッタチャージカムとは一体的に回転するカム部材からなる。
【発明の効果】
【００１２】
本発明のライブビュー可能なカメラは、画像表示手段に撮像素子による動画の表示を行いながら、撮影レンズの合焦を行うときは、可動反射ミラーを退避位置に駆動し、シャッタのチャージは行わずに可動反射ミラーを上記観察位置に駆動する駆動制御手段を具備するようにしたので、シャッタチャージと可動反射ミラーの駆動の両方という大きな負荷を駆動することがなく、タイムラグやエネルギロスを少なくなるようにしたライブビュー可能なカメラを提供することができる。
【発明を実施するための最良の形態】
【００１３】
以下、図面に従って本発明を適用したデジタル一眼レフカメラを用いて好ましい一実施形態について説明する。図１は、一実施形態に係わるデジタル一眼レフレックスカメラの内部機構の概略構成を示すブロック図であり、（Ａ）は撮影レンズの光軸方向に沿った内部構成ブロック図、（Ｂ）はカメラ本体２００の正面方向からみた内部構成ブロック図である。
【００１４】
カメラ本体２００の上面にはレリーズ釦２１が配置されている。このレリーズ釦２１は、撮影者が半押しするとオンする第１レリーズスイッチと、全押しするとオンする第２レリーズスイッチを有している。この第１レリーズスイッチ（以下、１Ｒと称する）のオンによりカメラは焦点検出、撮影レンズのピントあわせ、被写体輝度の測光等の撮影準備動作を行い、第２レリーズスイッチ（以下、２Ｒと称する）のオンにより撮像素子としてのＣＣＤ（Charge Coupled Devices）２２１（図６参照）の出力に基づいて被写体像の画像データの取り込みを行う撮影動作を実行する。
【００１５】
レンズ鏡筒１００の内部に配置された撮影レンズ１０１（図６参照）の光軸上であって、カメラ本体２００のミラーボックス内に可動反射ミラー２０１が配置されている。この可動反射ミラー２０１は、被写体光束をファインダ光学系（例えば、ペンタプリズム２０７等）に反射するために撮影レンズ１０１の光軸に対して４５度傾いた位置と、被写体像を撮像素子(後述のＣＣＤ（Charge Coupled Device）２２１)に導くために、撮影光路から退避した位置とに回動可能となっている。可動反射ミラー２０１の回動軸は図１（Ａ）の紙面に対して垂直方向に沿っている。この可動反射ミラー２０１によって、上方に被写体光束を反射する。なお、本実施形態では、上方に全反射しているが、これに限らず、カメラ本体の右方でも左方でも、被写体光束の反射方向は機構部材や光学部材の配置上、最も適切になるように選択してよい。
【００１６】
可動反射ミラー２０１の反射光軸上にフォーカシングスクリーン２０５が配置されており、これは撮影レンズ１０１による被写体光束を結像させるためのマット面であり、可動反射ミラー２０１からの距離がＣＣＤ２２１と等価な位置に配設されている。フォーカシングスクリーン２０５の上方には、被写体像を左右反転させるためのペンタプリズム２０７が配置されている。ファインダ接眼部３３は、ファインダ光学系の接眼部であって、撮影者はこの接眼部３３を覗いて被写体像の確認を行うことができる。
【００１７】
上述の可動反射ミラー２０１の中央付近はハーフミラーで構成されており、この可動反射ミラー２０１の背面には、ハーフミラー部を透過した被写体光束を反射するための測距用にサブミラー２０３が設けられている。このサブミラー２０３は、可動反射ミラー２０１に対して回動可能であり、可動反射ミラー２０１が撮影光路から退避し、被写体光束がＣＣＤ２２１に入射しているときには、ハーフミラー部を覆う位置に回動し、可動反射ミラー２０１が図示の如き被写体像観察位置にあるときには、可動反射ミラー２０１に対して垂直となる位置にある。この可動反射ミラー２０１はシャッタ・ミラー駆動ユニット３０３によって駆動されている。また、サブミラー２０３の反射光路上に測距用センサを含むＴＴＬ位相差方式の測距回路２１７（図６参照）を含む測距ユニット２１８が配置されており、測距ユニット２１８によって、撮影レンズ１０１によって結像される被写体像の焦点ズレ量を検出する。
【００１８】
可動反射ミラー２０１の後方には、露光時間制御用のフォーカルプレーンタイプのシャッタ２１３が配置されており、このシャッタ２１３はシャッタ駆動機構２１５（図６）を含むシャッタ制御部２１３ａとシャッタ・ミラー駆動ユニット３０３によって駆動制御される。シャッタ２１３の後方には撮像素子としてのＣＣＤ２２１が配置されており、撮影レンズによって結像される被写体像を電気信号に光電変換する。なお、本実施形態では撮像素子としてＣＣＤを用いているが、これに限らずＣＭＯＳ（Complementary Metal Oxide
Semiconductor）等の二次元撮像素子を使用できることはいうまでもない。
【００１９】
カメラ本体２００の正面から見て左側には、カメラ本体の全体に電源を供給するためのバッテリ３０５が配置されている。また本体の右側には、後述するように、シャッタ２１３と可動反射ミラー２０１の駆動源となるミラーシャッタ（以下「ＭＳ」と略す）モータ３０１が配置され、このＭＳモータ３０１の駆動力を伝達するためのシャッタ・ミラー駆動ユニット３０３がＭＳモータ３０１の駆動軸と係合するように、ＭＳモータ３０１の下側に配置されている。また、可動反射ミラー２０１の脇には、シャッタ２１３の駆動制御を行うためのシャッタ制御部２１３ａが配置されている。
【００２０】
次に、図２乃至図５を用いて可動反射ミラー２０１とシャッタ２１３の駆動制構について説明する。
図２はシャッタ２１３と可動反射ミラー２０１を示す図であって、（Ａ）はシャッタ２１３の斜視図であり、（Ｂ）はシャッタ２１３の正面図、（Ｃ）はミラーの斜視図、（Ｄ）は可動反射ミラー２０１のミラーダウン状態を示し、（Ｅ）はミラーアップ状態を示す図である。図２（Ａ）に示すように、シャッタ２１３の側部にはシャッタ制御部２１３ａが配置されており、このシャッタ制御部２１３ａの下部には、シャッタセットレバー２１３ｂが突出している。そして、このシャッタセットレバー２１３ｂは初期状態では、図２（Ｂ）の斜線の位置（ア）の位置にあり、シャッタチャージ完了状態では、図２（Ｂ）の実線の位置（イ）の位置に移動する。
【００２１】
可動反射ミラー２０１は、ダウン状態では、図２（Ｃ）に示すように、サブミラー２０３は可動反射ミラー２０１に対して開いた位置に回動している。可動反射ミラー２０１の回動軸側には、図２（Ｄ）に示すように、ミラーダウンバネ３４５が設けられており、このミラーダウンバネ３４５によって図中の反時計方向、すなわちダウン方向に付勢されている。このミラーダウンバネ３４５によって付勢された可動反射ミラー２０１は位置規制ピン３４９によって、撮影光路に対して４５度の位置に規制されている。ミラー駆動レバー３４１はＬ字状形状をしており、ミラー駆動バネ３４３によって反時計方向、すなわちミラーをアップさせるアップ方向に付勢されている。ミラー駆動レバー３４１の一端は、可動反射ミラー２０１に固設された係合ピン３４７に係合している。なお、ミラー駆動バネ３４３のバネ力の方が、ミラーダウンバネ３４５のバネ力よりも常時強く構成されている。
【００２２】
ミラーダウン状態では、ミラー駆動レバー３４１は、ミラーチャージレバー３５１によって、ミラー駆動バネ３４３の付勢力に抗して時計方向に回動させられており、図２（Ｄ）に示す位置にある。この状態で、ミラー駆動レバー３４１を係止しているミラーチャージレバー３５１が右方に移動すると、ミラー駆動レバー３４１はミラー駆動バネ３４３の付勢力によって反時計方向に回動する。この回動に伴って、係合ピン３４７を介して、可動反射ミラー２０１はダウン位置からアップ位置に回動し、図２（Ｅ）に示す状態になる。この状態からミラーチャージレバー３５１が、ミラー駆動バネ３４３の付勢力に抗して左方に移動して、図２（Ｄ）の位置に達するとミラーチャージ完了状態となる。
【００２３】
図３は、ＭＳモータ３０１の駆動力が伝達されるシャッタ・ミラー駆動ユニット３０３の分解斜視図である。ギア３６３を介して、カムギア３５７にＭＳモータ３０１の駆動力が伝達される。このカムギア３５７の上面にはカムギア３５７の回転軸の半径方向に変化する周面を有するミラーチャージカム３５３が固設されており、このミラーチャージカム３５３のカム面３５３ａにはミラーチャージレバー３５１の一端が係接している。このミラーチャージレバー３５１の他端はミラー駆動レバー３４１と係接している。ミラー駆動レバー３４１は、ミラーチャージレバー３５１を時計方向に回動させる向きにバネ付勢されているので（図２参照）、ミラーチャージレバー３５１の一端はミラーチャージカム３５３に対して圧接することになる。したがって、カムギア３５７の回動に伴って、これと一体のミラーチャージカム３５３が回動し、このミラーチャージカム３５３のカム面に圧接しているミラーチャージレバー３５１は回動する。
【００２４】
また、カムギア３５７の下面にはカムギア３５７の回転軸の半径方向に変化する周面を有するシャッタチャージカム３５５のカム面３５５ａが固設されており、このシャッタチャージカム３５５にはシャッタチャージレバー３６１の一端が係接している。このシャッタチャージレバー３６１の他端はシャッタセットレバー２１３ｂと係接している。したがって、カムギア３５７の回動に伴って、これと一体のシャッタチャージカム３５５も回動し、このシャッタチャージカム３５５のカム面に係接しているシャッタチャージレバー３６１は回動し、シャッタセットレバー２１３ｂも回動する。
【００２５】
上述したミラーチャージカム３５３のＡＡ方向から見たカム面を図４（Ａ）に示し、シャッタチャージカム３５５のＢＢ方向から見たカム面を図４（Ｂ）に示す。ミラーチャージカム３５３のカム面３５３ａは、図示されるように、上死点領域ａ、リフトカムｂ、下死点領域ｃ、リフトカムｄ、上死点領域ｅの５つの領域から構成されている。また、シャッタチャージカム３５５のカム面３５５ａは、図示されるように、上死点領域ａ、リフトカムｂ、下死点領域ｃ、下死点領域ｄ、下死点領域ｅの５つの領域から構成されている。また、図示しないが、ミラーチャージカム３５３、シャッタチャージカム３５５、もしくはこれらと一体に駆動される部材の回転もしくは移動を検知する複数のフォトインタラプタが設けられている。これらのフォトインタラプタによって、領域ａにある間、Ｌレベル出力するａ検出と、領域ｃにある間、Ｌレベル出力するｃ検出と、領域ｅにある間、Ｌレベル出力するｅ検出がなされる（図５参照）。
【００２６】
カム領域ａでは、ミラーチャージカム３５３は上死点にあり、可動反射ミラー２０１はダウン状態（図２（Ｄ）参照）、すなわちファインダ光学系に被写体光束を反射する観察位置（反射位置）にある。この状態では、ファインダ光学系に被写体光束が導かれるので、ファインダによる被写体像の観察が可能であり、また後述する測光素子２１１にも被写体光束が導かれるので、測光が可能であり、さらにサブミラー２０３によって被写体光束が測距ユニット２１８に導かれるので測距及び撮影レンズの合焦位置への駆動（自動焦点調節）が可能である。また、シャッタチャージカム３５５も上死点にあり、図２（Ｂ）（イ）に示すようにチャージ状態にある。シャッタ２１３はチャージ状態にあるがシャッタセットレバー２１３ｂが退避していないので、このままではシャッタ幕の走行ができず、露光することはない。
【００２７】
カム領域ｃでは、ミラーチャージカム３５３は下死点にあり、可動反射ミラー２０１はアップ状態（図２（Ｅ）参照）、すなわち撮影光路から退避した退避位置にある。また、シャッタチャージカム３５５も下死点にあり、シャッタセットレバー２１３ｂは図２（Ｂ）（ア）に示す位置にある。このカム領域ｃとなるのは、２つの場合があり、ひとつは通常の撮影の場合であり、他のひとつはライブビューを行う場合である。この状態では、ファインダによる被写体像の観察は不可能であり、また撮像素子としてのＣＣＤ２１１に被写体像が結像するので、このＣＣＤ２２１からの画像情報を出力することができる。ライブビューモードの場合にはＣＣＤ２２１からの画像情報に基づいて液晶モニタ２６に被写体像を表示することができ、被写体像の観察を行うことができる。さらに、レリーズ釦２１の操作により２Ｒがオンとなった場合には、シャッタチャージが完了していれば、シャッタ幕の走行が可能であり、このシャッタ２１３のシャッタ幕の走行に合わせて、ＣＣＤ２１１によって静止画を撮像し、記録することができる。
【００２８】
カム領域ｂは、ａ領域とｃ領域の遷移領域であり、この領域ではミラーチャージレバー３５１とシャッタチャージレバー３６１の両方が回動する。これに対して、カム領域ｄはミラーチャージカム３５３のカム面３５３ａのみが変化し、そのためミラーチャージレバー３５１が回動してミラー駆動レバー３４１は回動するが、シャッタチャージカム３５５のカム面３５５ａは変化していないので、シャッタチャージレバー３６１は回動することはない。このようにカム領域ｂとカム領域ｄでは、その動きが異なるが、本実施形態では、ライブビュー表示中において自動焦点調節を行う場合には、このｄ領域を利用して、可動反射ミラー２０１のアップ・ダウン動作を行うが、シャッタ２１３のチャージ動作は行わないようにしている。一方、通常の撮影動作を行うにあたっては、カム領域ｂを利用して、可動反射ミラー２０１のアップ・ダウン動作を行うと共に、シャッタ２１３のチャージ動作を行うようにしている。なお、図４におけるミラーチャージカム３５３とシャッタチャージカム３５５の相対的回転位置関係は、互いの基準位置が同じ位置で説明しているが、ミラーチャージレバー３５１およびシャッタチャーレバー３６１の配置で互いの基準位置が変化する。
【００２９】
次に、図６を用いて、デジタル一眼レフカメラの電気系を主とする全体構成を説明する。本実施形態に係わるデジタル一眼レフカメラは、前述したように、交換レンズ１００とカメラ本体２００は別体で構成されており、両者は通信接点３００にて電気的に接続されている。なお、交換レンズ１００とカメラ本体２００を一体に構成することも可能である。
【００３０】
交換レンズ１００の内部には、焦点調節および焦点距離調節用のレンズ１０１、１０２と、開口量を調節するための絞り１０３が配置されている。レンズ１０１およびレンズ１０２はレンズ駆動機構１０７によって駆動され、絞り１０３は絞り駆動機構１０９によって駆動されるよう接続されている。レンズ駆動機構１０７、絞り駆動機構１０９はそれぞれレンズＣＰＵ１１１に接続されており、このレンズＣＰＵ１１１は通信接点３００を介してカメラ本体２００に接続されている。レンズＣＰＵ１１１は交換レンズ１００内の制御を行うものであり、レンズ駆動機構１０７を制御してピント合わせや、ズーム駆動を行うとともに、絞り駆動機構１０９を制御して絞り値制御を行う。
【００３１】
カメラ本体２００内には、前述したように可動反射ミラー２０１、サブミラー２０３、フォーカシングスクリーン２０５、ペンタプリズム２０７が配置されている。可動反射ミラー２０１はミラー駆動機構２１９によって駆動されている。ペンタプリズム２０７の出射側には被写体像観察用の接眼レンズ２０９が配置され、この脇であって被写体像の観察に邪魔にならない位置に測光センサ２１１が配置されている。フォーカシングスクリーン２０５、ペンタプリズム２０７、接眼レンズ２０９はファインダ光学系の一部を構成している。
【００３２】
また、上述したように、可動ミラー２０１の背面にはサブミラー２０３が設けられており、このサブミラー２０３の反射方向に合焦センサを含む測距回路２１７が配置されている。さらに、可動ミラー２０１の後方には、シャッタ２１３が配置されており、このシャッタ２１３はシャッタ駆動機構２１５によって駆動制御される。また、シャッタ２１３の後方には撮像素子としてのＣＣＤ２２１が配置されており、レンズ１０１、１０２によって結像される被写体像を電気信号に光電変換する。ＣＣＤ２２１はＣＣＤ駆動回路２２３に接続され、このＣＣＤ駆動回路２２３によってアナログデジタル変換（ＡＤ変換）がなされる。ＣＣＤ駆動回路２２３はＣＣＤインターフェース２２５を介して画像処理回路２２７に接続されている。この画像処理回路２２７は色補正、ガンマ(γ)補正、コントラスト補正といった各種の画像処理を行う。また、液晶モニタ２６におけるライブビュー表示用の画像データの生成も行う。
【００３３】
画像処理回路２２７は、ＡＳＩＣ（Application Specific Integrated
Circuit 特定用途向け集積回路）２７１内のデータバス２６１に接続されている。このデータバス２６１には、画像処理回路２２７の他、ボディＣＰＵ２２９、圧縮回路２３１、フラッシュメモリ制御回路２３３、ＳＤＲＡＭ制御回路２３６、入出力回路２３９、通信回路２４１、記録媒体制御回路２４３、ビデオ信号出力回路２４７、スイッチ検出回路２５３が接続されている。
【００３４】
データバス２６１に接続されているボディＣＰＵ２２９は、このデジタル一眼レフカメラのフローを制御するものである。またデータバス２６１に接続されている圧縮回路２３１はＳＤＲＡＭ２３７に記憶された画像データをＪＰＥＧやＴＩＦＦで圧縮するための回路である。なお、画像圧縮はＪＰＥＧやＴＩＦＦに限らず、他の圧縮方法も適用できる。データバス２６１に接続されているフラッシュメモリ制御回路２３３は、フラッシュメモリ（Flash Memory）２３５に接続され、このフラッシュメモリ２３５は、一眼レフカメラのフローを制御するためのプログラムが記憶されており、ボディＣＰＵ２２９はこのフラッシュメモリ２３５に記憶されたプログラムに従ってデジタル一眼レフカメラの制御を行う。なお、フラッシュメモリ２３５は、電気的に書換可能な不揮発性メモリである。ＳＤＲＡＭ２３７は、ＳＤＲＡＭ制御回路２３６を介してデータバス２６１に接続されており、このＳＤＲＡＭ２３７は、画像処理回路２２７によって画像処理された画像データまたは圧縮回路２３１によって圧縮された画像データを一時的に記憶するためのバッファメモリである。
【００３５】
上述の測光センサ２１１、シャッタ駆動機構２１５、測距回路２１７およびミラー駆動機構２１９に接続される入出力回路２３９は、データバス２６１を介してボディＣＰＵ２２９等の各回路とデータの入出力を制御する。レンズＣＰＵ１１１と通信接点３００を介して接続された通信回路２４１は、データバス２６１に接続され、ボディＣＰＵ２２９等とのデータのやりとりや制御命令の通信を行う。データバス２６１に接続された記録媒体制御回路２４３は、記録媒体２４５に接続され、この記録媒体２４５への画像データ等の記録の制御を行う。記録媒体２４５は、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、通信接点を介してハードディスクを接続可能に構成してもよい。
【００３６】
データバス２６１に接続されたビデオ信号出力回路２４７は液晶モニタ駆動回路２４９を介して液晶モニタ２６に接続される。ビデオ信号出力回路２４７は、ＳＤＲＡＭ２３７、記録媒体２４５に記憶された画像データを、液晶モニタ２６に表示するためのビデオ信号に変換するための回路である。液晶モニタ２６はカメラ本体２００の背面に配置されるが、撮影者が観察できる位置であれば、背面に限らないし、また液晶に限らず他の表示装置でも構わない。シャッタレリーズ釦の第1ストロークや第２ストロークを検出するスイッチ、再生モードを指示するスイッチ、液晶モニタ２６の画面でカーソルの動きを指示するするスイッチ、撮影モードを指示するスイッチ、選択された各モード等を決定するＯＫスイッチ等の各種スイッチ２５５は、スイッチ検出回路２５３を介してデータバス２６１に接続されている。
【００３７】
次に図７を用いてライブビュー表示のフローを説明する。カメラ本体２００の図示しない操作釦の操作によりライブビュー表示に入ると、まず、ライブビューを行うための初期設定を行う（Ｓ１）。この初期設定では、ＣＣＤ２２１に電源の供給を行い、液晶モニタ２６におけるライブビュー表示の明度を適切に保つためにライブビュー表示条件の設定を行ったりするが、可動反射ミラー２０１のミラーアップ動作やシャッタ２１３の開放等も行う。後者については、図８を用いて後述する。なお、このライブビュー初期設定の中で、ライブビュー表示が開始される。次に、レリーズ釦２１の半押し操作がなされているか、すなわち１Ｒがオンか否かについて判定する（Ｓ３）。判定の結果、オンであった場合にはステップＳ５に進み、自動焦点調節（ＡＦ）のサブルーチンを実行する。このサブルーチンにおいては、液晶モニタ２６に被写体像をライブビューしながら、自動焦点調節と測光動作を行うが、詳細については、図９を用いて後述する。
【００３８】
ステップＳ５における自動焦点調節（ＡＦ）が終了すると、続いて、レリーズ釦２１の全押し操作がなされたか否か、すなわち２Ｒがオンか否かについて判定する（Ｓ７）。判定の結果、２Ｒがオンであった場合には、ステップＳ９に進み、撮影動作を実行する。この撮影動作のサブルーチンについては、図１０を用いて後述する。撮影動作が終了すると、ステップＳ１のライブビューの初期設定に戻り、前述のステップを繰り返す。ステップＳ７に戻り、２Ｒがオフであった場合には、ステップＳ１１に進み、１Ｒがオンか否かの判定を行う。レリーズ釦２１が半押しされているが、全押しされていない場合には、ステップＳ７とステップＳ１１の判定を行う待機状態となる。レリーズ釦２１から撮影者の手が離れると、ステップＳ３に戻り、前述のステップを繰り返す。
【００３９】
ステップＳ３に戻り、１Ｒがオフであった場合には、ステップＳ１３に進み、表示モードの切り換え、すなわちライブビューでの被写体像の表示からファインダ光学系での光学的な表示に図示しない操作釦によって切り換えがなされたか否かの判定を行う。表示モードの切換がなされていなかった場合には、ステップＳ３に戻る。一方、表示モードが切り換えられた場合には、ステップＳ１５において、液晶モニタ２６での被写体像のライブビュー表示を停止するために、ＣＣＤ２２１の電源停止等の処理を行う。ステップＳ１のライブビュー初期設定の中でライブビュー表示が開始され、このステップＳ１５においてライブビュー表示が停止されるまでの間、ＣＣＤ２２１で繰り返し取得された撮像データに基づいて、液晶モニタ２６には連続的にライブビュー表示がなされている。続いて、ステップＳ１７において、シャッタ２１３と可動反射ミラー２０１の初期化を行う。これは、ライブビューを行うにあたって、可動反射ミラー２０１をアップ位置（反射位置）に移動させていたが、光学ファインダで被写体像を観察し、液晶モニタ２６には撮影情報を表示させる情報表示モードに戻すための処理である。この初期化にあたっては、前述のミラーチャージカム３５３とシャッタチャージレバー３６１が領域ａに達するまで、ＭＳモータ３０１は駆動する。
【００４０】
前述のステップＳ１のライブビュー初期設定について、図８に示すフローチャートおよび図１１に示すタイムチャートを用いて詳述する。ライブビューを行う以前は、ミラーチャージカム３５３とシャッタチャージカム３５５は、カム領域ａにあり、ライブビューの初期化にあたっては、ＭＳモータ３０１はライブビューを行うカム領域ｃまでカムギア３５７を駆動する。まず、シャッタ幕を保持するためのシャッタマグネットＭｇに給電し、先幕と後幕を保持する（Ｓ２１）。このあと、ＭＳモータ３０１を逆転させ（図１１のｔ１）、カム領域ａからカム領域ｂを経てカム領域ｃまで、ミラーチャージカム３５３とシャッタチャージカム３５５を駆動する（Ｓ２３）。この間、ミラー駆動レバー３４１は、図２（Ｄ）の位置から図２（Ｅ）の位置に向けて移動し、ミラー駆動バネ３４３のバネ力によって可動反射ミラー２０１は、アップ（退避）位置にむけて回動する。またシャッタセットレバー２１３ｂは、図２（Ｂ）の（イ）の位置から（ア）の位置に向けて移動する。ｃ領域に達すると（Ｓ２５、図１１のｔ２）、ＭＳモータ３０１の回転を停止する（Ｓ２７）。これによって、可動反射ミラー２０１はアップ（退避）位置になり、シャッタセットレバー２１３ｂは退避位置となる。
【００４１】
続いて、シャッタ２１３のシャッタ先幕保持用のマグネットＭｇの給電をオフして、シャッタ先幕の走行させる（Ｓ２９）。シャッタ先幕の走行が終了すると（図１１のｔ３）、シャッタ２１３は全開状態となり、ＣＣＤ２２１上に被写体像が結像するので、イメージャとしてのＣＣＤ２２１から画像情報の読み出しを開始する（Ｓ３１）。この読み出された画像情報に基づいて、液晶モニタ２６にライブビュー表示を行う（Ｓ３３）。ライブビュー表示を行うために、繰り返しＣＣＤ２２１から画像情報の読み出しを行い（例えば３０フレーム／秒）、動画として表示する。
【００４２】
次に、ステップＳ５の自動焦点調節（ＡＦ）の動作について、図９に示すフローチャートおよび図１１に示すタイムチャートを用いて詳述する。このサブルーチンは、前述したように、レリーズ釦２１が半押しされた際に、可動反射ミラー２０１をダウンさせ、測距と測光を行うものである。まず、液晶モニタ２６に表示されているライブビューをフリーズ（固定）する（Ｓ４１）。これは、可動反射ミラー２０１がダウンし、ＣＣＤ２２１上に被写体像が結像しなくなるため画像情報を取得できず、ライブビューが途切れることに対する対策である。続いて、ＭＳモータ３０１の逆転を開始すると共に（Ｓ４３、図１１のｔ１１）、ＣＣＤ２２１からの読み出しを停止する（Ｓ４５）。
【００４３】
ＭＳモータ３０１の逆転では、ｃ領域からｄ領域を経てｅ領域まで駆動する。この間、ミラー駆動レバー３４１は、図２（Ｅ）の位置から図２（Ｄ）の位置に向けてミラー駆動バネ３４３をチャージしながら移動し、可動反射ミラー２０１はミラーダウンバネ３４５のバネ力によりダウン位置（反射位置）に下降する。またシャッタセットレバー２１３ｂは、上述した図２（Ｂ）の（ア）の位置でシャッタチャージ未完了のままである。ｅ領域に達すると（Ｓ４７、図１１のｔ１２）、ＭＳモータ３０１の回転を停止する。これによって、可動反射ミラー２０１はダウン状態となり、シャッタセットレバー２１３ｂは退避位置のまま（シャッタチャージ未完了）である。可動反射ミラー２０１、サブミラー２０１を介して測距ユニット２１８は被写体像を受光して、測距動作を行う（Ｓ５１）。測距動作によって、撮影レンズ１０１の焦点ズレ量を検出し、ボディＣＰＵ２２９は合焦させるための駆動量を演算し、レンズＣＰＵ１１１、レンズ駆動機構１０７を介して自動焦点調節を行う（Ｓ５３）。また、可動反射ミラー２０１から導かれた被写体光束の一部を測光素子２１１は測光し（Ｓ５１）、この測光値に基づいてボディＣＰＵ２２９はシャッタ速度や絞り値等の露光値を演算する。
【００４４】
自動焦点調節の次にＭＳモータ３０１を正転駆動する（Ｓ５５、図１１のｔ１３）。これは今までとは逆に、ｅ領域からｄ領域を経てｃ領域に戻る工程である。この間に、可動反射ミラー２０１はダウン位置からアップ位置に戻り、またシャッタセットレバー２１３ｂは退避位置のまま（シャッタチャージ未完了）である。ｃ領域に達すると（Ｓ５７、図１１のｔ１４）、ＭＳモータ３０１の回転を停止する（Ｓ５９）。この後、ステップＳ４５で停止していたＣＣＤ２２１からの画像情報の読み出しを再開し（Ｓ６１、図１１のｔ１４）、液晶モニタ２６にライブビュー表示を行う（Ｓ６３）。すなわち、液晶モニタ２６のフリーズ状態を解除する。なお、可動反射ミラー２０１が反射位置にある間に測距動作は終了しなければならないが、レンズ駆動動作は、可動反射ミラー２０１が退避動作を行っている間でも行うことは可能である。そのため、図１１において、レンズ駆動（ＬＤ）は可動反射ミラー２０１の退避動作後も続行している。ライブビューの再開後であれば、撮影者は液晶モニタ２６を通じてピントが合っていく様子を観察することができる。
【００４５】
次に、ステップＳ９の撮影動作について、図１０に示すフローチャートおよび図１１に示すタイムチャートを用いて詳述する。このサブルーチンは、前述したように、ライブビュー中にレリーズ釦２１が全押しされた際に、ＣＣＤ２２１からの出力に基づいて静止画を取得し、記録媒体２４５に記録を行うものである。ライブビューはｃ領域で行っているが、一旦、ａ領域まで駆動し、シャッタチャージを行った後に再びｃ領域に駆動し静止画の画像情報を取得している。まず、ＭＳモータ３０１を正転させ（Ｓ７１、図１１のｔ２１）、ｃ領域からｂ領域を経てａ領域に駆動する。これによって、可動反射ミラー２０１はミラー駆動レバー３４１の駆動に伴いダウン状態となり、またシャッタセットレバー２１３ｂはシャッタチャージ完了位置（図２（Ｂ）の（イ））に移動する。
【００４６】
ａ領域に達したことを検出すると（Ｓ７３、図１１のｔ２２）、ＭＳモータ３０１の回転を停止する。続いて、シャッタ先幕および後幕保持用のマグネットＭｇに給電し、先幕および後幕を保持する（Ｓ７７）。この後、ＭＳモータ３０１の逆転駆動を開始する（Ｓ７９、図１１のｔ２３）。この逆転駆動により、ａ領域からｂ領域を経てｃ領域に再び戻る。この過程において、可動反射ミラー２０１はダウン（反射）位置からアップ（退避）位置に移動し、またシャッタセットレバー２１３ｂは退避位置に移動する。ｃ領域に達すると（Ｓ８１、図１１のｔ２４）、ＭＳモータ３０１の逆転駆動を停止する（Ｓ８３）。この状態では、可動反射ミラー２０１は撮影光路から退避しており、シャッタ２１３は露光可能状態となっているので、露光動作に移る（Ｓ８５）。まず、シャッタ先幕を保持しているマグネットＭｇの通電を停止し、シャッタ先幕の走行を開始させる（図１１のｔ２５）。予め演算されたシャッタ速度に対応した時間が経過したら、シャッタ後幕の走行を開始させる（図１１のｔ２６）。シャッタ後幕の走行開始後、後幕が終了する時間が経過したら、ＭＳモータ３０１を正転駆動させ（Ｓ８７）、ｃ領域からｂ領域を経てａ領域に移行させる。この間、可動反射ミラー２０１はダウン位置に駆動され、シャッタ２１３はシャッタチャージが行われる。ａ領域であることを検出したら（Ｓ８９）、ＭＳモータ３０１の正転駆動を停止する（Ｓ９１）。また、ＭＳモータ３０１の正転駆動中に並行して、ＣＣＤ２２１から静止画の画像情報の読み出しを行い（Ｓ９３）、液晶モニタ２６に所定時間、表示を行う。ＭＳモータ停止（Ｓ９１）後、ステップＳ１のライブビュー初期設定を実行し、ａ領域からｃ領域に戻り、ライブビューを再開する。
【００４７】
以上の如く、本発明の第１実施形態におけるライブビューモードにおいて、レリーズ釦２１の半押し操作に応じて、自動焦点調節動作を行う場合には（Ｓ５）、可動反射ミラー２０１を撮影光路中に介挿し観察位置とすることによって、測距ユニット２１８を動作状態とし、自動焦点調節動作を実行することができる。また、並行して測光素子２１１も動作可能状態となり、測光を行うことができる。またこれらの動作を行うにあたって、可動反射ミラー２０１は駆動されるのに対して、シャッタ２１３はなんら駆動されることはない。このようにライブビューにおいては、不要なシャッタチャージがなされないことから、駆動源の負荷が軽くなり、タイムラグやエネルギロスを少なくすることができる。図５からも分かるように、シャッタ２１３のチャージと可動反射ミラー２０１の駆動を同時に行うｂ領域においては、そのカム勾配は緩く、その結果、駆動に時間がかかっているがエネルギロスを少なくできる。これに対して、ライブビューにおいて可動反射ミラー２０１の駆動しか行わないｄ領域は、カム勾配を急にすることができ、その結果、駆動に時間がかからずタイムラグを少なくすることができる。
【００４８】
次に、本発明の第２実施形態について、図１２を用いて説明する。本発明の第１実施形態では、レリーズ釦２１の半押しで自動焦点調節を１回行う、所謂、シングルＡＦを行っていたが、第２実施形態では、シングルＡＦに加えて、連続的に自動焦点調節を行うコンティニュアスＡＦを行う例である。この第２実施形態は、第１実施形態と図７に示すライブビュー表示モードのフローの一部が異なるほかは、第１実施形態と同じであるので、相違点を中心に説明する。
【００４９】
図１２に示すライブビュー表示モードにおいて、図７のフローと同じステップについては、同一のステップ番号を付与し、説明は省略する。ステップＳ１のライブビュー初期設定が終わると、図示しないＡＦモード設定部材によって設定されているＡＦモードの判定を行う。本実施形態においては、ＡＦモードとしては、シングルＡＦモードとコンティニュアスＡＦモードの２つのモードのみが設定可能となっているので、ステップＳ１０１において、シングルＡＦと判定した場合には、ステップＳ３に進み、シングルＡＦモードで処理する。このシングルＡＦモードは第１実施形態と同様であるので、説明は省略する。
【００５０】
ステップＳ１０１でシングルＡＦモードではない、すなわちコンティニュアスＡＦモードであると判定された場合には、ステップＳ１０３に進み、レリーズ釦２１が半押しされているか、すなわち１Ｒがオンかの判定を行う。１Ｒがオフであった場合には、ステップＳ１０１に戻り、レリーズ釦２１が半押しされるまで待機状態となる。一方、１Ｒがオンとなると、ステップＳ１０５に進み、図９で説明した自動焦点調節（ＡＦ）のサブルーチンを実行する。つまり、可動反射ミラー２０１を退避位置から観察位置に回動させ、この状態で測距回路２１７の出力に基づいて撮影レンズ１０１を合焦位置に駆動する。このＡＦ動作が終了すると、次に、１Ｒがオンか否かの判定を行い、レリーズ釦２１から手が離れた場合にはステップＳ１０１に戻り、前述のステップを繰り返す。一方、レリーズ釦２１の半押し状態が続いていた場合には、レリーズ釦２１が全押しされたか、すなわち２Ｒがオンかを判定し、２Ｒがオンであった場合にはステップＳ９に移行し、第１実施形態と同様に撮影動作を実行する。一方、２Ｒがオフであった場合には、ステップＳ１１１に進み、タイマが所定時間経過したかを判定し、所定時間経過していない場合には、タイマをリセットし、スタートさせる。コンティニュアスＡＦモードは、所定時間間隔でシングルＡＦを繰り返し行うモードであり、この所定時間をステップＳ１１１とＳ１１３によって計時している。
【００５１】
ライブビューモードを実行している最中にＡＦモードがコンティニュアスＡＦモードからシングルＡＦモードに変更すると、ステップＳ１０１においてステップＳ３に移行し、またシングルＡＦモードからコンティニュアスＡＦモードに変更すると、ステップＳ１０１においてステップＳ１０３に移行して、それぞれＡＦモードの変更が行われる。
【００５２】
以上の如く、第２実施形態においては、ライブビューを行っている場合、シングルＡＦモードが設定されている場合には、レリーズ釦２１の半押しに応答して、可動反射ミラー２０１が退避位置から反射位置に移動することによって自動焦点調節を可能とし、またコンティニュアスＡＦモードが設定されている場合には、レリーズ釦２１が半押しされている間、所定時間間隔で可動反射ミラー２０１が反射位置に移動して自動焦点調節を行っている。
【００５３】
本発明の第１及び第２実施形態においては、ライブビューを行っているときに、自動焦点調節を行う場合には、可動反射ミラー２０１を観察位置に移動させ、測距回路２１７を動作可能としているので、ライブビューモードであっても自動焦点調節を行うことができ、大変便利である。
また、第１及び第２実施形態においては、ライブビューモードの際にの可動反射ミラー２０１の駆動にあたって、シャッタチャージ動作を切り離して行うことができるので、負荷を軽くすることができ、タイムラグを短くすることができる。
さらに、ミラーチャージカム３５３及びシャッタチャージカム３５５の正転と逆転を上手く利用して、通常の撮影の場合はミラーチャージとシャッタチャージを行い、ライブビューの場合はミラーチャージのみを行うようにしたので、簡単な構成でかつ小型化することができる。
【００５４】
なお、本発明の第１及び第２実施形態では、ミラーチャージカム３５１とシャッタチャージカム３５５の２つのカムを採用していたが、これに限らず、例えば、１つのカムで領域をミラーチャージ用とシャッタチャージ用に分けるようにしても良い。また、上記カムの正転と逆転を利用して、ライブビューへの移行とライブビュー時のＡＦの切換えを行っていたが、遊星歯車等を利用して切り換えるようにしても良い。いずれにしても、ライブビューへの移行時には可動反射ミラー２０１の駆動とシャッタチャージを行い、ライブビュー時のＡＦ動作の際には、可動反射ミラー２０１の駆動機構のみを動作させ、シャッタチャージを行わないようにすれば良い。
また、第１及び第２実施形態では、撮像素子はＣＣＤ２２１の一つであったが、複数の撮像素子の出力を切り換えてライブビュー表示するようなカメラであっても適用できることは勿論である。
【００５５】
また、第１及び第２実施形態では、可動反射ミラー２０１はファインダ光学系と撮像素子に光路を切り換えていたが、これに限らず、例えば、画像記録用の撮像素子と被写体像観察用の撮像素子とに切り換えるように構成しても勿論、本発明を適用することができる。
さらに、本実施形態では、可動反射ミラー２０１はミラーアップ時にミラーチャージを行っていたが、逆にミラーダウン時にミラーチャージを行うようにしても良い。
さらに、第１及び第２実施形態では、ＡＦ時に可動反射ミラー２０１がダウンした状態で測距動作を行うようにしていたが、これに限らず、測距動作と撮影レンズの合焦動作の両方をミラーダウン状態で行うようにしても良い。
【００５６】
以上述べたように、第１及び第２の実施形態では、撮影レンズ１０１からの光束を反射して観察光学系に導く観察位置（ダウン位置）と、撮影レンズ１０１からの光束通過域から退避する退避位置へと移動する退避位置（アップ位置）とに、ＭＳモータ３０１の回転により移動可能な可動反射ミラー２０１と、被写体に撮影レンズ１０１を合焦させるための合焦用センサ（測距回路２１７の内部）と、可動反射ミラー２０１に連動して、可動反射ミラー２０１が観察位置（ダウン位置）にあるとき撮影レンズ１０１からの光束を合焦用センサ（測距回路２１７の内部）へ導く合焦用反射ミラー（サブミラー２０３）と、合焦センサの出力に基づいて、撮影レンズを合焦位置に駆動する自動焦点調節手段（例えば、ボディＣＰＵ２２９、レンズＣＰＵ１１１、レンズ駆動機構１０７）と、可動反射ミラー２０１の後方に配置され、撮影レンズ１０１からの被写体光束を受けて撮像する撮像素子（ＣＣＤ２２１）と、可動反射ミラー２０１と撮像素子の間に配置されたシャッタと、画像表示手段（例えば、液晶モニタ２６）に撮像素子（ＣＣＤ２２１）による動画の表示を行いながら、撮影レンズ１０１の合焦を行うときは、自動焦点調節手段を作動させると共に、可動反射ミラー２０１を退避位置（アップ位置）に駆動し、シャッタ２１３のチャージは行わずに可動反射ミラー２０３を観察位置（ダウン位置）に駆動する駆動手段を備えたので、ライブビュー時の測距動作にあたって、シャッタチャージと可動反射ミラーの駆動の両方という大きな負荷を駆動することがなく、タイムラグやエネルギロスを少なくなるようにしたライブビュー可能なカメラを提供することができる。
【００５７】
また、第１及び第２の実施形態では、正逆回転可能なＭＳモータ３０１と、撮影レンズ１０１の結像を観察する観察光学系（ファインダ光学系）と、撮影レンズ１０１からの光束を反射して観察光学系に導く観察位置（ダウン位置）と、撮影レンズからの光束通過域から退避する退避位置（アップ位置）とに、ＭＳモータ３０１の回転により移動可能な可動反射ミラー２０１と、被写体に撮影レンズを合焦させるための合焦用センサ（測距回路２１７の内部）と、可動反射ミラー２０１に連動して、可動反射ミラーが観察位置（ダウン位置）にあるとき撮影レンズ１０１からの光束を合焦用センサへ導く合焦用反射ミラー（サブミラー２０３）と、可動反射ミラー２０１の後方に配置され、可動反射ミラー２０１が退避位置（アップ位置）にあるとき撮影レンズ１０１からの被写体光束を受けて撮像する撮像素子（ＣＣＤ２２１）と、撮像素子（ＣＣＤ２２１）による被写体の画像を動画として表示するための画像表示手段（例えば、液晶モニタ２６）と、撮影レンズ１０１を被写体に対し合焦開始させるための合焦開始手段（例えば、レリーズ釦２１の１Ｒ）と、ＭＳモータ３０１の回転によりチャージされ、可動反射ミラー２０１と撮像素子との間に配置され、ＭＳモータ３０１の回転によりチャージされるシャッタ２１３と、可動反射ミラー２０１を観察位置（ダウン位置）に位置させる第１のカム部（ａ領域）と、この第１のカム部に連続して可動反射ミラー２０１を退避位置（アップ位置）に位置させる第２のカム部（ｃ領域）と、さらにこの第２のカム部に連続して可動反射ミラーを観察位置（ダウン位置）に駆動する第３のカム部（ｅ領域）を有したミラー駆動カム（ミラーチャージカム３５３）と、第１のカム部（ａ領域）に同期してシャッタをチャージするシャッタチャージカム部（ｂ領域）と、上記第２のカム部及び上記第３のカム部に同期してシャッタをチャージしない非チャージカム部（ｄ領域）とを有したシャッタチャージカム３５５と、撮像素子による静止画の撮像を行うときは、ＭＳモータ３０１を正逆回転させて、ミラー駆動カム（ミラーチャージカム３５３）の第１のカム部と第２のカム部の間を往復動させ、可動反射ミラー２０１を観察位置と退避位置との間の移動を行い、これに同期してシャッタチャージカム３５５のシャッタチャージカム部と非チャージカム部との間を往復動させ、シャッタ２１３のチャージを繰り返し、画像表示手段に撮像素子による動画の表示を行いながら、撮影レンズの合焦を行うときは、合焦開始手段の出力に応答して、ＭＳモータを正逆回転させて、ミラー駆動カムの第２のカム部と第３のカム部の往復動をさせ、可動反射ミラー２０１を観察位置と退避位置との間の移動を行い、これに同期してシャッタチャージカムの非チャージカム部の往復動を行い、シャッタ２１３のチャージは行わない制御を行う制御手段を備えたので、ライブビュー時の測距動作にあたって、シャッタチャージと可動反射ミラーの駆動の両方という大きな負荷を駆動することがなく、タイムラグやエネルギロスを少なくすることができ、特にカム部を使用することにより、小型で安価にすることができる。
【００５８】
さらに、第１及び第２実施形態では、撮影レンズ１０１の撮影光路上の第１の位置（ダウン位置）と、この撮影光路上から退避した第２の位置（アップ位置）とに移動可能な可動反射ミラー２０１と、撮影レンズ１０１の撮影光路上に配置され、撮影レンズによって結像される被写体像を受光し、光電変換信号を出力する撮像素子（ＣＣＤ２２１）と、この撮像素子と可動反射ミラーとの間に配置され、撮像素子上による上記被写体像の露光時間を制御するためのシャッタ２１３と、光電変換信号に基づいて被写体像をライブビュー表示するための表示装置（液晶モニタ２６）と、ライブビュー表示を行うにあたって、可動反射ミラー２０１を第２の位置（アップ位置）に駆動すると共にシャッタ２１３を開放状態に駆動し（Ｓ１）、ライブビュー表示において測距動作を行う場合には（Ｓ５）、上記シャッタのチャージ動作は行わず、可動反射ミラーを第２の位置から第１の位置に移動させる（Ｓ４３）駆動制御手段（ボディＣＰＵ２２９）を備えたので、測距動作時には可動反射ミラーの駆動しか行わず、負荷を軽減できると共に、タイムラグやエネルギロスを少なくすることができる。
【図面の簡単な説明】
【００５９】
【図１】本発明の第１実施形態に係わるデジタル一眼レフカメラの内部機構の概略構成を示すブロック図であり、（Ａ）は撮影レンズの光軸方向に沿った内部構成を、（Ｂ）はカメラ本体２００の正面方向からみた内部構成を示すブロック図である。
【図２】本発明の第１実施形態に係わるデジタル一眼レフカメラのシャッタと可動反射ミラーを示す図であって、（Ａ）はシャッタの斜視図であり、（Ｂ）はシャッタの正面図、（Ｃ）は可動反射ミラーの斜視図、（Ｄ）は可動反射ミラーのミラーダウン状態を示し、（Ｅ）は可動反射ミラーのミラーアップ状態を示す図である。
【図３】本発明の第１実施形態に係わるデジタル一眼レフカメラのシャッタ・ミラー駆動ユニットの部分詳細図である。
【図４】本発明の第１実施形態に係わるデジタル一眼レフカメラのカムの領域を示す図であって、（Ａ）はミラーチャージカム、（Ｂ）はシャッタチャージカムのカム領域をそれぞれ示す図である。
【図５】本発明の第１実施形態に係わるデジタル一眼レフカメラのカム領域の展開図である。
【図６】本発明の第１実施形態に係るデジタル一眼レフカメラの主として電気系の全体構成を示すブロック図である。
【図７】本発明の第１実施形態におけるデジタル一眼レフカメラのライブビュー表示のフローチャートである。
【図８】本発明の第１実施形態におけるデジタル一眼レフカメラのライブビュー初期設定のフローチャートである。
【図９】本発明の第１実施形態におけるデジタル一眼レフカメラの自動焦点調節動作のフローチャートである。
【図１０】本発明の第１実施形態におけるデジタル一眼レフカメラの撮影動作のフローチャートである。
【図１１】本発明の第１実施形態におけるデジタル一眼レフカメラのライブビュー表示におけるタイムチャートである。
【図１２】本発明の第２実施形態におけるデジタル一眼レフカメラのライブビュー表示のフローチャートである。
【符号の説明】
【００６０】
２１  レリーズ釦
２６  液晶モニタ
３３  ファインダ
１００  レンズ鏡筒
２００  カメラ本体
２０１  可動反射ミラー
２０３  サブミラー
２１３  フォーカルプレーンシャッタ
２１３ｂ  シャッタセットレバー
２２１  ＣＣＤ
２２９  ボディＣＰＵ
２７９  ファインダ内ＣＣＤ
２２７  画像処理回路
２８５  ＣＣＤ切換回路
３０１  ＭＳモータ
３０３  シャッタ・ミラー駆動ユニット
３４１  ミラー駆動レバー
３５３  ミラーチャージカム
３５５  シャッタチャージカム
３５７  カムギア
３６１  シャッタチャージレバー
【図１】
2007298742.tif 000003
【図２】
2007298742.tif 000004
【図３】
2007298742.tif 000005
【図４】
2007298742.tif 000006
【図５】
2007298742.tif 000007
【図６】
2007298742.tif 000008
【図７】
2007298742.tif 000009
【図８】
2007298742.tif 000010
【図９】
2007298742.tif 000011
【図１０】
2007298742.tif 000012
【図１１】
2007298742.tif 000013
【図１２】
2007298742.tif 000014